(57)【特許請求の範囲】
【請求項１】
下方に開閉する下蓋（１）を設けた本体（２）を形成し中にネット収納部（３）を設け、ピン（４）（４）が出入する電磁ソレノイド（５）（５）をネット収納部（３）の両側に取付け下蓋（１）を支持し、ネット収納部（３）の上に磁石（１６）（１６）で吸着した吊具（９）（９）を取付け、その吊具（９）（９）に適当な大きさめ網目のネット（１０）の一方を引掛けて吊るし、そのネット（１０）の各隅に水入りボール（１１）（１１）（１１）（１１）を取付け、ネット（１０）を引掛けた側にカラー水入りボール（１２）（１２）（１２）を適数個取付けたネット（１０）を下蓋（１）の上に載せて収納したことを特徴とする強盗犯人の捕獲又は逃走を遅らせるネット。
【請求項２】
水入りボール（１１）及びカラー水入りボール（１２）の全体を弾力性を有するゴムや合成樹脂等の素材とした、請求項１の強盗犯人の捕獲又は逃走を遅らせるネット。
【請求項３】
カラー水入りボール（１２）の中にカラーの粉（２０）を入れた、請求項１の強盗犯人の捕獲又は逃走を遅らせるネット。
【請求項４】
カラー水入りボール（１２）の中に刺激臭を有する水や粉、液体等を入れた、請求項１の強盗犯人の捕獲又は逃走を遅らせるネット。
【請求項５】
カラー水入りボール（１２）をネット（１０）のところどころに適当に数個取付けた、請求項１の強盗犯人の捕獲又は逃走を遅らせるネット。
【請求項６】
ネット収納部（３）の中の上に吊具（９）を固定し、引掛部（８）の途中にバネ部（１９）を設けた請求項１の強盗犯人の捕獲又は逃走を遅らせるネット。
【発明の詳細な説明】
【０００１】
【発明の属する技術分野】
この発明は、銀行や郵便局等の金融機関に強盗が入り、その強盗犯人が出入口より逃走する時、出入口等の天井内に設置したネットがリモコン操作や電気のスイッチを入れることでネットが落下して逃走の妨害となり、強盗犯人の逃走を少しでも遅らせて犯人を捕えようとすることを目的としたネットに関するものである。
【０００２】
【従来の技術】
従来、金融機関等では強盗が入り、逃走の際の対策はいろいろと考えられているが、強盗犯人の逃走を遅らせるというものはなかった。
又、犯人が逃走する後よりカラー液の入ったボールをぶつけて犯人に目印を付ける方法はあった。
【０００３】
【発明が解決しようとする課題】
これには次のような欠点があった。
（イ）従来は、強盗犯人が逃げてから、すぐに１１０番に連絡するが、その時にはすでに犯人は外へ出て逃げており、少しでも犯人の逃走を遅らせるということはできなかった。
（ロ）逃走する犯人の後からボールを投げて、そのボールが破裂し液が犯人の体に付着して犯人である目印とはなるが、犯人の逃走を遅らせることはできなかった。
（ハ）したがって、犯人の逃走を遅らせたり捕まえる対策にはならなかった。そのために犯人逮捕が遅れる原因でもあった。
【０００４】
【課題を解決するための手段】
（イ）下方に開閉する下蓋（１）を設けた箱形の本体（２）を形成し中にネット収納部（３）を設ける。
（ロ）ピン（４）（４）が出入する電磁ソレノイド（５）（５）を本体（２）の両側に取付け、下蓋（１）の両端を折曲げ、つば（６）（６）を設け、ピン（４）（４）の位置に合わせて孔（７）（７）を設け、通常はピン（４）（４）は出ている状態となり下蓋（１）を支持する。
（ハ）ネット収納部（３）の中の上に引掛け部（８）（８）を設けた吊具（９）（９）を取付ける。
（ニ）適当大きさで、適当な大きさの網目のネット（１０）を設け、その、ネット（１０）の一方の端を吊具（９）（９）に引掛けて吊し、そのネット（１０）の各隅に水入りボール（１１）（１１）（１１）（１１）を取付ける。
（ホ）吊具（９）（９）に引掛けた側のネット（１０）の端にカラー水入りボール（１２）（１２）（１２）を数個取付ける。
（ヘ）そのネット（１０）はたたんで下蓋（１）の上に載せて収納する。
本発明は、以上の構成よりなる強盗犯人の捕獲又は逃走を遅らせるネット。
【０００６】
【発明の実施の形態】
以下、本発明の実施の形態を説明する。図１、図２、図３、図４、図５、図６、図７、図８において、
（イ）水入りボール（１１）は弾力性を有するゴムやビニール、合成樹脂等の素材で作り、中に水（１３）を入れて紐（１４）でネット（１０）に縛り、重りとして取付ける。
（ロ）カラー水入りボール（１２）は弾力性を有するゴムやビニール、合成樹脂等の素材で作り、中にカラー水（１５）を入れて紐（１４）でネット（１０）に縛り落下の時に犯人に当り打撃を与えることを目的とするものである。又、カラー水入りボール（１２）は薄い素材で作ると犯人に当ると破れて中のカラー水（１５）が犯人の衣服や体に付着し犯人である目印となる。
（ハ）本体（２）において、吊具（９）を取付ける部分は磁石が吸着する鉄板が適当である。
（ニ）吊具（９）の吸着部分には磁石（１６）を設け、その引掛け部（８）の先はネット（１０）が外れやすいように横に伸ばした方が望ましい。
（ホ）水入りボール（１１）は重りとして作用するもので、中に入れる水の代用として固体、例えば、金属等とすることもできる。
（ト）水入りボール（１１）及びカラー水入りボール（１２）の中に水を入れないで全体を弾力性を有する素材、例えば、ゴムや合成樹脂としてもよい。
【０００７】
【０００８】
吊具の異なった一実施例として図９に示すように、吊具（９）は本体（２）の中の上面（１７）にボルト（１８）等で固定し、引掛け部（８）の途中をコイル状に巻いてバネ部（１９）を設けた吊具（９）とすることもできる。
【０００９】
カラー水りボールの異なった一実施例として図１０に示すように、カラー水の代りにカラーの粉（２０）とすることもできる。
その他、刺激臭を有する粉や水、液体等を入れたカラー水入りボール（１２）とすることもできる。
【００１０】
一部分の異なった一実施例として図１２に示すように、ネット（１０）のところどころにカラー水入りボール（１２）を数多く取付けることもできる。
【００１１】
ネット（１０）の横巾や縦巾の大きさは、出入口にそれぞれ合せた寸法に作るのが望ましい。又、規格化し何種類か作る方法もある。
【００１２】
電磁ソレノイド（５）は、犯人に気付かれない所にスイッチ釦を設けて置き、スイッチを入れると通電し電磁ソレノイド（５）が作動しピン（４）が引くようにするのが望ましい。
又は、リモコンと連動して、リモコン操作によって電磁ソレノイド（５）が作動するようにもできる。
尚、ピン（４）の出入の動作は電磁ソレノイド（５）以外の、例えば、手動方法による紐等を引いてピン（４）を引くこともできる。
本発明は、以上の構成よりなる。
本発明を使用するときは、銀行や郵便局、その他金融機関の出入口等のの天井（２１）に本発明を取付ける。図３、図４に示すように、通常は電磁ソレノイド（５）は通電していないのでピン（４）は出て下蓋（１）に設けた孔（７）に入り下蓋（１）を支持し、その下蓋（１）は閉じた状態でネット（１０）は収納されている。
万一強盗が押し入り、金等を強奪して逃走したら、すぐにスイッチ釦を押す。
又は、リモコン操作によって図１、図２にしめすように、電磁ソレノイド（５）が作動してピン（４）が引込み下蓋（１）が下へ開くと同時にネット（１０）の一方が強盗犯人（２２）が逃走する先に落下し、強盗犯人（２２）の前にたれ下って塞がり逃走できなくなる。それでも強盗犯人（２２）は逃走しようとして、ネット（１０）を押したり、振払うとか、くぐり抜けようとして力を入れると図７に示すように、ネット（１０）が引掛け部（８）より横に滑って外れて落下する。又は、図８に示すように磁石（１６）の吸着力が荷重に耐えきれず吊具（９）共に落下する。
落下したネット（１０）は図１１示すように、強盗犯人（２２）におおいかぶさり、強盗犯人（２２）はネット（１０）を払いのけて逃走するには、かなり逃走がおくれることになる。又、水入りボール（１１）は重りの役目をしておりネット（１０）の落下を速くして逃走を防止する効果がある。
又、カラー水入りボール（１２）はネット（１０）と同時に落下する時、強盗犯人（２２）の体に当たり打撃を与えて、さらに逃走を遅らせる。中に水（１３）が入っており弾力性を有するので犯人に怪我をさせることはなく安全である。
又、カラー水入りボール（１２）が打撃により破れて中のカラー水（１５）が強盗犯人（２２）の体や衣服等に付着して、犯人が逃走しても目印となり犯人逮捕に役立つ効果がある。
又、図９に示すように、バネ部（１９）を設けた引掛け部（８）は、荷重がかかると引掛け部（８）が下へ下がりネット（１０）が外れるが、吊具（９）は落下しないので犯人に吊具（９）が当ることがなく安全である。
又、図１０にしめすように、カラー水入りボール（１２）カラーの粉（２０）を入れておくと、そのカラー水入りボール（１２）が破れると、そのカラー粉（２０）が体や衣服に付着すると目印しになると共に、犯人がその粉を吸うとむせてさらに逃走を遅らせる。
その他、刺激臭を有する粉や水、液体等を入れると尚効果が増す。又、蛍光剤等を混入しておくと、夜間暗らくとも光って見えるので犯人の逃走が確認できる効果がある。
又、図１２に示すように、ネット（１０）のところどころに数多くカラー水入りボール（１２）を設けた場合、強盗犯人（２２）に打撃を多く与えることになり、逃走をさらに遅らせる効果を増す。
又、ネット（１０）が強盗犯人（２２）の上におおいかぶさった時は犯人を取押えることも可能となり、その場ですぐに犯人を捕まえることもできる。
【００１３】
【発明の効果】
（イ）強盗犯人にネットがおおいかぶさり、又、カラー水入りボールで打撃を与え、瞬間の出来事により犯人は面食らって逃走するのに、かなりの時間を要し逃走が遅れ、その間に犯人の人相や特徴が確認することができ早期逮捕につながる。
（ロ）犯人の逃走が遅れることにより、逃走前にパトカーが来て犯人の逮捕ができる場合もある。
（ハ）強盗犯人にネットがおおいかぶさるので、従業員の人達で犯人を捕まえることもできる。
（ホ）カラー水入りボールの中にカラー水や粉、液、刺撃臭等により強盗犯人にかなりのショックや刺撃等を与えるので犯人の逃走がさらに遅れる効果を増す。
（ヘ）犯人が外へ逃走しても、体や衣服にカラー水や蛍光剤等が付着しているので目印となり、犯人逮捕につながる。又、暗い夜でも逃走経路が分り追跡しやすくなる。
（ト）本発明において、万一誤動作してネットが落下しても、怪我をすることもなく安全である。
【図面の簡単な説明】
【図１】本発明の全体正面図で下蓋が開いてネットの一方が落下した状態を示す。又、想像線で犯人を示す。
【図２】本発明の図１中Ａ−Ａ矢視の拡大断面図。又、犯人を想像線で示す。
【図３】本発明の図２中Ｂ−Ｂ矢視の一部分の拡大断面図で、電磁ソレノイドのピンが出て下蓋が閉じてその下蓋を支持した状態を示す。
【図４】本発明の側面の拡大断面図を示し、下蓋が閉じてネットが収納された状態を示す。又、天井に取付けた状態を想像線で示す。
【図５】本発明の水入りボールの拡大図で、一部断面図で示す。
【図６】本発明のカラー水入りホボールの拡大図で、一部断面図で示す。
【図７】本発明の吊具の取付け拡大断面図とネットを引掛た状態と想像線でネットが外た図を示す。
【図８】本発明の吊具が外れて落下した状態の拡大断面図。
【図９】本発明の吊具の異なった実施例の拡大断面図。
【図１０】本発明のカラー水入りボールの異なった実施例の拡大図で、一部断面図で示す。
【図１１】本発明の使用例を示す縮小側面図。
【図１２】本発明の、ネットにおける異なった実施例の縮小正面図。
【符号の説明】
１    下蓋
２    本体
３    ネット収納部
４    ピン
５    電磁ソレノイド
６    つば
７    孔
８    引掛け部
９    吊具
１０  ネット
１１  水入りボール
１２  カラー水入りボール
１３  水
１４  紐
１５  カラー水
１６  磁石
１７  上面
１８  ボルト
１９  バネ部
２０  カラーの粉
２１  天井
２２  強盗犯人
【図１】
0003706970.tif 000002
【図２】
0003706970.tif 000003
【図３】
0003706970.tif 000004
【図４】
0003706970.tif 000005
【図５】
0003706970.tif 000006
【図６】
0003706970.tif 000007
【図７】
0003706970.tif 000008
【図８】
0003706970.tif 000009
【図９】
0003706970.tif 000010
【図１０】
0003706970.tif 000011
【図１１】
0003706970.tif 000012
【図１２】
0003706970.tif 000013